(57)【要約】【課題】文字等の入力情報を特定するための操作回数が多くならないだけでなく、ユーザが直感的にこれらの入力情報を選択して入力することのできる携帯情報処理装置および入力情報入力方法を得る。【解決手段】携帯電話機２００には、液晶表示部２０３の下に面方向と上下方向に移動するポインティングデバイス２０９が配置されている。液晶表示部２０３に文字や記号等の入力情報を一覧として表示し、ポインティングデバイス２０９を面方向に移動して所望の入力情報にカーソルを合わせて面方向と垂直方向に押下することでその入力情報の選択を行う。一覧から選択するので直感的な操作が可能であり、しかも最短で１回の操作により１つの入力情報の選択が可能である。【選択図】図１
2006197159.tif 000002
【特許請求の範囲】
【請求項１】
装置本体と、
この装置本体の所定の面に配置されたディスプレイと、
このディスプレイに、入力対象となる文字、記号等のうちの少なくとも一部からなる複数の入力情報をそれぞれの表示される位置を変えて一覧として表示する入力情報一覧表示手段と、
前記ディスプレイに現在位置を示すカーソルを表示するカーソル表示手段と、
前記装置本体の特定の面方向に対して移動自在に配置され、この特定の面方向の移動に連動して、前記カーソル表示手段によって表示されたカーソルを前記ディスプレイ内の所定の領域内で移動させるカーソル移動手段と、
前記装置本体の前記特定の面とは異なる方向に移動自在に配置され、前記異なる方向に移動させることで、前記ディスプレイに表示された前記入力情報の一覧の中からカーソルの示す位置の入力情報を選択する入力情報選択手段
とを具備することを特徴とする携帯情報処理装置。
【請求項２】
装置本体と、
この装置本体の所定の面に配置されたディスプレイと、
このディスプレイに、入力対象となる文字、記号等のうちの少なくとも一部からなる複数の入力情報の種別を表示する入力情報種別表示手段と、
この入力情報の種別を選択する入力情報種別選択手段と、
この入力情報種別選択手段によって選択された入力情報の種別についての前記複数の入力情報をそれぞれの表示される位置を変えて一覧として表示する入力情報一覧表示手段と、
前記ディスプレイに現在位置を示すカーソルを表示するカーソル表示手段と、
前記装置本体の特定の面方向に対して移動自在に配置され、前記入力情報種別選択手段によって選択された種別の入力情報についての一覧が前記ディスプレイに表示された状態で、前記特定の面方向の移動に連動して、カーソル表示手段によって表示されたカーソルを前記ディスプレイ内の所定の領域内で移動させるカーソル移動手段と、
前記装置本体の前記特定の面とは異なる方向に移動自在に配置され、前記異なる方向に移動させることで、前記ディスプレイに表示された前記入力情報の一覧の中からカーソルの示す位置の入力情報を選択する入力情報選択手段
とを具備することを特徴とする携帯情報処理装置。
【請求項３】
前記カーソル移動手段と前記入力情報選択手段は１つのポインティングデバイスとして構成されていることを特徴とする請求項１または請求項２記載の携帯情報処理装置。
【請求項４】
前記ポインティングデバイスは、指を載置する面状の指載置手段と、この指載置手段を前記面方向およびこれと垂直方向に移動自在に保持する保持手段と、前記指載置手段が前記面方向に移動したときその移動方向および移動量を前記カーソルの移動として検出するカーソル移動検出手段と、前記指載置手段が前記面方向と垂直方向に移動したときこれを選択動作として検出する選択動作検出手段とを具備することを特徴とする請求項３記載の携帯情報処理装置。
【請求項５】
前記入力情報一覧表示手段は、入力情報をマトリックス表示する手段であり、前記カーソル移動手段は、カーソルの移動方向をマトリックスの縦横方向および縦横に１つずつずれた位置を結ぶ斜め方向に移動方向を規制する移動方向規制手段を具備することを特徴とする請求項１または請求項２記載の携帯情報処理装置。
【請求項６】
前記カーソル表示手段は、カーソルが移動した位置の前記入力情報を強調表示することでカーソルを表示することを特徴とする請求項１または請求項２記載の携帯情報処理装置。
【請求項７】
前記入力情報選択手段が選択した入力情報を変換する入力情報変換手段と、この入力情報変換手段が変換する前の１または複数の入力情報に対してその変換候補を表示する変換候補表示手段とを更に具備することを特徴とする請求項２記載の携帯情報処理装置。
【請求項８】
装置本体に備えられたディスプレイに、入力対象となる文字、記号等のうちの少なくとも一部からなる複数の入力情報をそれぞれの表示される位置を変えて一覧として表示する入力情報一覧表示ステップと、
この入力情報一覧表示ステップで前記ディスプレイに入力情報の一覧が表示された状態で、指を載置する面状の指載置手段と、この指載置手段を前記面方向およびこれと垂直方向に移動自在に保持する保持手段と、前記指載置手段が前記面方向に移動したときその移動方向および移動量を前記カーソルの移動として検出するカーソル移動検出手段と、前記指載置手段が前記面方向と異なる方向に移動したときこれを選択動作として検出する選択動作検出手段とを具備するポインティングデバイスの前記面方向の移動を検出して移動した位置を前記ディスプレイに表示する位置表示ステップと、
前記選択動作検出手段が前記選択動作を検出した時点で前記位置表示ステップで表示した位置の入力情報を選択する入力情報選択ステップ
とを具備することを特徴とする入力情報入力方法。
【発明の詳細な説明】
【技術分野】
【０００１】
本発明は、携帯電話機、ＰＨＳ、ＰＤＡのような携帯型の情報処理装置およびこのような比較的小型の情報処理装置で文字等の入力を行う場合に好適な入力情報入力方法に関する。
【背景技術】
【０００２】
携帯電話機、ＰＨＳ(Personal Handy-phone System)、ＰＤＡ(Personal Digital Assistant)のような携帯型の情報処理装置(以下、携帯情報処理装置という。)は、持ち運びに便利な半面で、小型であるために文字や記号等の入力すべき情報（以下、入力情報という。）を多数のキーを使用して入力するための専用のキーボードを配置することが不可能な場合が多い。そこで、これらの携帯情報処理装置では、電話を掛けたり数字を入力するために必要な数字キーを文字入力に併用することで、メールの作成やアドレス帳の登録等の文字入力を行うようにしているのが通常である。
【０００３】
具体的には、漢字をひらがなで入力する場合に、五十音の各行をそれぞれの数字キーに割り振り、各行の列に相当する文字は、対応する数字キーの押下回数で選択するようにしている。たとえば「横浜」と入力するときには、ひらがなで「よこはま」と一字ずつ入力して、携帯情報処理装置に備えられた辞書変換手段を使って「かな漢字変換」を行うことになる。ひらがなで「よこはま」と入力する操作は、具体的には次のようになる。
【０００４】
「よ」については、数字キーの“８”（「や行」）を３回押下して選択する。
「こ」については、数字キーの“２”（「か行」）を５回押下して選択する。
「は」については、数字キーの“６”（「は行」）を１回押下して選択する。
「ま」については、数字キーの“７”（「ま行」）を１回押下して選択する。
【０００５】
このように従来広く行われた入力手法では、テンキーの各キーの間を指を頻繁に移動させる必要があり、ユーザの指の移動にかなりの負担を掛けるという問題がある。
【０００６】
そこで、上下左右および中心（真下）の５つの方向を選択することのできるキーを使用して、文字の入力操作にユーザの手の操作を簡略化する提案も行われている(たとえば特許文献１参照)。
【０００７】
図１３は、このような文字入力キーと文字行の配置の一例を示したものである。文字入力キー１０１の上側には、「あ」行と「は」行が割り当てられ、左側には「か」行と「ま」行が割り当てられている。更に、右側には、「た」行と「ら」行が割り当てられ、下側には「さ」行と「や」行が割り当てられている。また、文字入力キー１０１の真下すなわち図で紙面を垂直に押し下げる方向には「な」行と「わ」が割り当てられている。この第１の提案の携帯情報処理装置には図示しない切替キーが装置本体側面に備えられている。ユーザがこの切替キーを押さないで文字入力キー１０１の前記した５つの方向のいずれかを押すと、「あ」〜「な」の各行のいずれかが選択されるようになっている。また、切替キーを押した状態で文字入力キー１０１の前記した５つの方向のいずれかを押すと、残りの「は」〜「わ」の各行のいずれかが選択されることになる。
【０００８】
この第１の提案によれば、数字キーを操作することなく文字入力キー１０１の操作のみで行を特定し、次に特定した方向のキーを所望の回数押下することで、その行に属する文字の指定を行う。たとえば「い」という文字は、切替キーを押さない状態で文字入力キー１０１の上側を選択して「あ」行を選択した後に、更に文字入力キー１０１の上側を選択する。これにより、「あ」行の２番目の文字としての「い」が選択される。
【０００９】
ところが、この第１の提案では、先に説明した従来の携帯情報処理装置と同様に、入力の対象となる各ひらがな１字ずつを、「あ行」、「か行」といった行と、その行の何番目の列かというように判断しながら、テンキーまたは文字入力キー１０１における同一方向のキーを操作して入力する必要がある。したがって、直感的に文字を入力することができない。また、各行の先頭の文字以外は、１つの文字を入力するために列の数だけ行に対応する数字キーまたは文字入力キー１０１における同一方向のキーを押下する必要がある。したがって、先に挙げた「よこはま」の例では、４文字を入力するために数字キーを１０回操作することになって、文章を効率的に作成することができないという問題がある。すなわち、ユーザの指の移動箇所自体は限定されたが、指を動かす回数自体を減少させることはできない。
【００１０】
そこで、携帯情報処理装置の操作部に備えられている数字キー等のハードキーボードの１つを押下すると、そのキーに割り当てられている複数の文字や記号等の入力情報を個別にディスプレイに表示するようにして、この中から所望の入力情報を選択するようにした提案が行われている(たとえば特許文献２参照)。この第２の提案では、たとえば数字“１”の数字キーに、数字“１”の他に、「あ」、「い」、「う」、「え」、「お」のような特定の行の各文字や「＠」等の所定の記号からなる各入力情報が割り当てられているとすると、これらをディスプレイにマトリックス状に配置された形で表示するようにしている。ユーザは、これら個々の入力情報の中で所望の入力情報の位置に相当するハードキーボードの数字キーを押下することで、所望の入力情報を最終的に確定させることができる。すなわち、この第２の提案ではハードキーボードの対応する数字キーを２回押下することで、所望の入力情報を選択することができ、入力情報の入力速度が向上することになる。
【特許文献１】特開２００３−２０９６０７号公報(第００１６段落、図３)
【特許文献２】特開２００２−２７８６８８号公報(第００５５段落、図１)
【発明の開示】
【発明が解決しようとする課題】
【００１１】
しかしながら、この第２の提案では、どの入力情報がどの数字キーに割り当てられているかを推測して１番目の数字キーを選択する第１の処理と、この第１の処理によって表示される仮想キーボードの中から所望の入力情報を探し当てて、これをハードキーボードの１つの数字キーに割り当てる第２の処理を必要とする。これら第１および第２の処理は、互いに性格が異なっている。したがって、ユーザはこれら性格の異なる処理を理解しながらハードキーボードを押下することが必要になる。このため、入力速度は１つ１つの入力情報をキーに個別に対応付けた携帯情報処理装置と比べると大幅に遅延する可能性があった。また、ユーザの操作ミスを誘発しやすいという問題もあった。
【００１２】
そこで、本発明の目的は、文字等の入力情報を特定するための操作回数が多くならないだけでなく、ユーザが直感的にこれらの入力情報を選択して入力することのできる携帯情報処理装置および入力情報入力方法を提供することにある。
【００１３】
本発明の他の目的は、テンキーを不要とし、しかもユーザが直感的に文字等の入力情報を選択して入力することのできる携帯情報処理装置および入力情報入力方法を提供することにある。
【課題を解決するための手段】
【００１４】
本発明では、（イ）装置本体と、（ロ）この装置本体の所定の面に配置されたディスプレイと、（ハ）このディスプレイに、入力対象となる文字、記号等のうちの少なくとも一部からなる複数の入力情報をそれぞれの表示される位置を変えて一覧として表示する入力情報一覧表示手段と、（ニ）ディスプレイに現在位置を示すカーソルを表示するカーソル表示手段と、（ホ）装置本体の特定の面方向に対して移動自在に配置され、この特定の面方向の移動に連動して、カーソル表示手段によって表示されたカーソルをディスプレイ内の所定の領域内で移動させるカーソル移動手段と、（へ）装置本体の前記した特定の面とは異なる方向に移動自在に配置され、前記した異なる方向に移動させることで、ディスプレイに表示された入力情報の一覧の中からカーソルの示す位置の入力情報を選択する入力情報選択手段とを携帯情報処理装置に具備させる。
【００１５】
すなわち本発明では、装置本体のディスプレイに複数の文字等の入力情報をそれぞれの位置を変えて一覧として表示し、カーソル移動手段でこれらのいずれかの入力情報をカーソルで指示した状態で入力情報選択手段で選択することで入力情報を順に選択する。ここでカーソル移動手段と入力情報選択手段は移動方向が異なるので、たとえばユーザの指を用いてこれらの手段を操作することで入力情報の選択を直感的に行うことができ、しかも操作回数を大幅に減少させることができる。
【００１６】
また、本発明では、（イ）装置本体と、（ロ）この装置本体の所定の面に配置されたディスプレイと、（ハ）このディスプレイに、入力対象となる文字、記号等のうちの少なくとも一部からなる複数の入力情報の種別を表示する入力情報種別表示手段と、（ニ）この入力情報の種別を選択する入力情報種別選択手段と、（ホ）この入力情報種別選択手段によって選択された入力情報の種別についての前記した複数の入力情報をそれぞれの表示される位置を変えて一覧として表示する入力情報一覧表示手段と、（へ）ディスプレイに現在位置を示すカーソルを表示するカーソル表示手段と、（ト）装置本体の特定の面方向に対して移動自在に配置され、入力情報種別選択手段によって選択された種別の入力情報についての一覧がディスプレイに表示された状態で、前記した特定の面方向の移動に連動して、カーソル表示手段によって表示されたカーソルをディスプレイ内の所定の領域内で移動させるカーソル移動手段と、（チ）装置本体の前記した特定の面とは異なる方向に移動自在に配置され、前記した異なる方向に移動させることで、ディスプレイに表示された入力情報の一覧の中からカーソルの示す位置の入力情報を選択する入力情報選択手段とを携帯情報処理装置に具備させる。
【００１７】
すなわち本発明では、入力情報種別表示手段を携帯情報処理装置に具備させることで、ディスプレイに一覧として表示する入力情報の数が多くなった場合でも１回にディスプレイに表示する入力情報の表示の減少を図って、入力操作の容易化を図っている。これ以外の点は先に示した請求項１記載の発明と同様である。
【００１８】
更に、本発明では、（イ）装置本体に備えられたディスプレイに、入力対象となる文字、記号等のうちの少なくとも一部からなる複数の入力情報をそれぞれの表示される位置を変えて一覧として表示する入力情報一覧表示ステップと、（ロ）この入力情報一覧表示ステップでディスプレイに入力情報の一覧が表示された状態で、指を載置する面状の指載置手段と、この指載置手段を面方向およびこれと垂直方向に移動自在に保持する保持手段と、指載置手段が面方向に移動したときその移動方向および移動量をカーソルの移動として検出するカーソル移動検出手段と、指載置手段が面方向と異なる方向に移動したときこれを選択動作として検出する選択動作検出手段とを具備するポインティングデバイスの面方向の移動を検出して移動した位置をディスプレイに表示する位置表示ステップと、（ハ）選択動作検出手段が選択動作を検出した時点で位置表示ステップで表示した位置の入力情報を選択する入力情報選択ステップとを入力情報入力方法に具備させる。
【００１９】
すなわち本発明では、１つのポインティングデバイスでカーソルの操作と入力情報の選択の操作を行えるようにし、ディスプレイに表示された複数の入力情報の中から所望の入力情報をそれぞれ１回ずつの入力操作で選択できるようにしている。このために、ポインティングデバイスは、指を載置する面状の指載置手段と、この指載置手段を面方向およびこれと垂直方向に移動自在に保持する保持手段と、指載置手段が面方向に移動したときその移動方向および移動量をカーソルの移動として検出するカーソル移動検出手段と、指載置手段が面方向と異なる方向に移動したときこれを選択動作として検出する選択動作検出手段とを備えるものを使用する。
【発明の効果】
【００２０】
以上説明したように本発明によれば、ディスプレイに入力対象となる文字、記号等のうちの少なくとも一部からなる複数の入力情報をそれぞれの表示される位置を変えて一覧として表示し、カーソルで個々の入力情報の選択を行うので、視覚的にそれぞれの入力情報の選択が可能であり、直感的な操作により処理が迅速に行え、操作ミスが少ない。また、カーソル移動手段と入力情報選択手段の操作方向が異なるので、たとえば１つの指でこれらを操作可能であり、携帯情報処理装置で片手で操作するようなときに便利であるだけでなく、操作の簡略化を図ることができる。
【発明を実施するための最良の形態】
【００２１】
以下実施例につき本発明を詳細に説明する。
【実施例１】
【００２２】
図１は、本発明の一実施例における携帯情報処理装置としての携帯電話機の外観を表わしたものである。この携帯電話機２００は、かまぼこ板形状の電話機本体２０１の表側の面２０２の中央部のやや上側に寄った位置に大型の液晶表示部２０３を備えている。液晶表示部２０３と電話機本体２０１の上端部の間には、通話のためのスピーカ２０４が配置されている。また、電話機本体２０１の下端部近傍には、同じく通話のためのマイクロフォン２０５が配置されている。このマイクロフォン２０５と液晶表示部２０３の間の領域には、情報入力装置２０６と、本実施例では６個のファンクションキー２０７1〜２０７6が配置されている。情報入力装置２０６は、ドーナツ状の形状をした４方向ボタン２０８と、その中央部分に配置されたポインティングデバイス２０９から構成されている。４方向ボタン２０８は、ユーザの指等の押圧位置によって、上下左右の方向を入力するボタンである。ポインティングデバイス２０９は、ユーザの指等の動きに応じて面２０２方向あるいはこれと直交する方向の移動を検出する装置であり、後に説明する液晶表示部２０３におけるカーソルの移動と選択を行うようになっている。ポインティングデバイス２０９としては、たとえばニューロポインタ（登録商標）と呼ばれる製品を使用することができる。
【００２３】
このように本実施例の携帯電話機２００は、通常の携帯電話機に必須のものとして備えられているテンキーが存在しない。したがって、この分だけキーの配置スペースを省略することができる。この結果として、本実施例の携帯電話機２００は、折り畳み型の筐体構造を採用していないにもかかわらず、液晶表示部２０３を大型にすることができるようになっている。また、この携帯電話機２００は通信用のアンテナを電話機本体２０１に内蔵している。したがってアンテナが外部に突出しておらず、携帯電話機２００の外観は、極めてシンプルなものとなっている。
【００２４】
図２は、本実施例の携帯電話機の回路構成の要部を表わしたものである。携帯電話機２００は、ＣＰＵ（中央処理装置）２２１を備えている。ＣＰＵ２２１は、データバス等のバス２２２を介して携帯電話機２００内の各部と接続されている。このうち、ＲＯＭ２２３は、この携帯電話機２００の各部を制御するための制御プログラムならびに固定的なデータを格納するリード・オンリ・メモリである。このＲＯＭ２２３には、図１に示した液晶表示部２０３に表示する各種の選択表を格納した選択表格納領域２２４が設けられている。ＲＡＭ２２６は、ＣＰＵ２２１がＲＯＭ２２３に格納された制御プログラムを実行する際に必要とする各種データを一時的に格納するランダム・アクセス・メモリである。その一部は、不揮発性メモリ領域２２７を構成しており、この部分にユーザが入力した保存すべきデータが格納されるようになっている。不揮発性メモリ領域２２７に格納されるデータの代表的なものとしては、アドレス帳やスケジュール表のデータを挙げることができる。
【００２５】
バス２２２に接続された通信制御部２２８は、この携帯電話機２００が図示しない無線基地局と無線で通信を行ったり、図示しないＵＳＢ（Universal Serial Bus）ポートを介して同じく図示しないパーソナルコンピュータ等の情報処理装置と有線で通信を行う部分である。入力回路２２９は、各種データを入力するための回路であり、ここには図１に示した４方向ボタン２０８、ポインティングデバイス２０９およびファンクションキー２０７1〜２０７6を総括した形でのファンクションキー群２０７Ｇが接続されている。表示回路２３１には、液晶表示部２０３が接続されている。音声処理回路２３２には、スピーカ２０４およびマイクロフォン２０５が接続されている。ここでは図示していないが、画像を記録するカメラや、着信通知のためのバイブレータあるいはテレビジョンやラジオの回路も必要に応じてバス２２２に接続される。
【００２６】
図３は、本実施例のポインティングデバイスの検出の様子を説明するためのものである。ポインティングデバイス２０９は、その表面に接触させた指を水平方向に動かすことによって、矢印２４１で示す各方向に移動自在となっている。また、ポインティングデバイスの表面を指で押下したときこれを検出できるようになっている。そして、指の力が解除されると、ポインティングデバイス２０９は、図示しない保持機構によって元のホームポジションに戻るようになっている。図２に示した入力回路２２９は、ポインティングデバイス２０９のこれらの動きを検出して、検出結果をバス２２２上に送り出すようになっている。
【００２７】
ポインティングデバイス２０９の水平方向の動きは、図１および図２に示した液晶表示部２０３にカーソルを表示したとき、このカーソルの動きに反映させることができる。たとえば、ポインティングデバイス２０９を図３で紙面の上端方向に移動させると、カーソル（図示せず）を上向きに移動させることができる。また、右方向に移動させたときにはそのカーソルを同様に右向きに移動させることができる。ユーザの指をポインティングデバイス２０９の上面に接触させた状態で、水平方向に沿って円を描いたとすると、カーソルも同様に液晶表示部２０３上で円を描くことになる。
【００２８】
図４は、本実施例でユーザが電話の発信を行う場合の処理の様子を表わしたものである。図２と共に説明を行う。ユーザが電話の発信を行う場合には、図１に示した第１のファンクションキー２０７1としての通話キーを押す（ステップＳ３０１：Ｙ）。すると、ＣＰＵ２２１が選択表格納領域２２４から通話キー表を読み出す（ステップＳ３０２）。ここで通話キー表とは、電話を掛けるためのダイヤル操作に特化したキー配置を示す表である。読み出された通話キー表は表示回路２３１に送られて液晶表示部２０３にその内容が表示される（ステップＳ３０３）。
【００２９】
図５は、液晶表示部に表示された通話キー表の内容を表わしたものである。液晶表示部２０３の一番上には、電話番号欄２５１が表示される。この電話番号欄２５１には、初期状態で「電話番号」という文字が表示されるが、ユーザが電話番号を構成する数字や記号を入力すると、これに応じてこれらの数字あるいは記号が入力された順序に表示されるようになっている。電話番号欄２５１の下には、“１”から“０”までの数字キーと、“＃”等の記号キー、左方向と右方向の矢印キーおよび通話キーが表示される。ここで、“＃”等の記号キーは短縮番号の入力を行う等の場合に使用する。左方向と右方向の矢印キーは入力ミスを訂正する際に使用する。通話キーは最終的に通話を指示するためのキーである。
【００３０】
図４に戻って説明を続ける。ステップＳ３０３で通話キー表が液晶表示部２０３に表示されると、ＣＰＵ２２１はポインティングデバイス２０９の示す現在の座標（ｘ，ｙ）を読み取る（ステップＳ３０４）。そして、液晶表示部２０３におけるこの座標（ｘ，ｙ）の位置にカーソル２５３（図５参照）を表示する（ステップＳ３０５）。この後は、ポインティングデバイス２０９の変位が生じるか（ステップＳ３０６）、あるいはポインティングデバイス２０９の押下による選択が行われるか（ステップＳ３０７）の監視が行われる。
【００３１】
たとえばユーザがポインティングデバイス２０９を操作して、図５で示したカーソル２５３を“０”の数字キーの位置の方向に変位させる操作を行ったとすると（ステップＳ３０６：Ｙ）、これに応じてポインティングデバイス２０９の座標（ｘ，ｙ）の読み取りが逐次行われ（ステップＳ３０４）、カーソル２５３が読み取られた座標（ｘ，ｙ）の位置に移動する（ステップＳ３０５）。このようにしてカーソル２５３が“０”の数字キーの位置にまで来た状態でポインティングデバイス２０９が垂直方向に押下されると、その位置に示す入力情報が選択されたことになる（ステップＳ３０７：Ｙ）。
【００３２】
このとき、ＣＰＵ２２１はそのカーソル２５３の位置に、図５に示す“０”の数字キー等のダイヤルキーが存在するかのチェック（ステップＳ３０８）と、「通話キー」が存在するかのチェック（ステップＳ３０９）と、これらのキー以外の「空白」領域が存在するかどうかの選択位置のチェックを行う。すなわち、ユーザが「選択」の操作を行ったとき、カーソル２５３が選択すべきいずれかの入力情報の領域に存在するかどうかのチェックが行われる。たとえばカーソルが“０”の数字キーと、“８”の数字キーの間に存在しているような場合には、選択操作は有効とされない。そこで、このような不適正な「選択」の操作が行われた場合には（ステップＳ３０８：Ｎ、Ｓ３０９：Ｎ）、その「選択」の操作自体は無視される。そして、ステップＳ３０６に処理が進んで、ポインティングデバイス２０９が次に変位するのを待機することになる。
【００３３】
これに対して、カーソルが“０”の数字キーの示す領域内に入っている状態で「選択」の操作が行われた場合のようにダイヤルキーが正しく選択された場合には（ステップＳ３０８：Ｙ）、その選択されたキーが他のキーよりも大きなサイズとなって強調表示され（ステップＳ３１０）、そのダイヤルキーの示す数値が電話番号欄２５１に電話番号の一部として入力表示される（ステップＳ３１１）。
【００３４】
図６は、“０”の数字キーがカーソルを用いて選択されてその最初の数字が入力された状態を表わしたものである。液晶表示部２０３のダイヤルキーの中でカーソル２５３によって選択された“０”の数字キーの数字“０”が大きな太文字として強調表示されている。また、電話番号欄２５１には、最初の入力情報として“０”の数字が表示されている。
【００３５】
したがって、この後、ユーザがポインティングデバイス２０９を操作して、カーソル２５３が“３”の数字キーの示す領域に入ったとき「選択」の操作を行えば、電話番号欄２５１には“０”の数字の後に“３”の数字が入力されることになる。このようにして、たとえば電話番号欄２５１には“０３１２３４５６７”というような所望の電話番号を、それぞれの入力情報としての数字を１回ずつ押下することで入力することができることになる。
【００３６】
このようにして電話番号の入力が終了した後に「通話キー」が押下された場合には（ステップＳ３０９：Ｙ）、その入力された電話番号を相手先の電話番号とする発呼処理が行われる（ステップＳ３１２）。
【００３７】
なお、ユーザが以上のようにして数字キーを１つずつ選択して電話番号を入力していくとき、間違った数字を選択する場合がある。このような場合には、電話番号欄２５１における間違った箇所の数字の直前あるいは直後の位置にカーソル２５３を合わせて、左方向あるいは右方向の矢印キーを選択して、これらを削除する処理を行えばよい。
【００３８】
ステップＳ３０９で「通話キー」が押下されて通話が開始された後、たとえば図１に示した第２のファンクションキー２０７2としての「終話キー」が押下されたら（ステップＳ３１３：Ｙ）、ＣＰＵ２２１は回線を切断して（ステップＳ３１４）、通話を終了させる。図１に示した他のファンクションキー２０７3〜２０７6が押された場合には、これらに割り当てられた処理が実行されることになる。
【００３９】
図７は、ポインティングデバイスの初期設定の制御の流れを表わしたものである。ユーザは、たとえば図１に示したポインティングデバイス２０９を電話機本体２０１の表側の面２０２に対して垂直方向に押下した状態で第１のファンクションキー２０７1を押すと（ステップＳ３２１：Ｙ）、初期設定画面が液晶表示部２０３に表示される（ステップＳ３２２）。この初期設定画面では、ポインティングデバイス２０９の初期設定（ステップＳ３２３）や、音量の設定（ステップＳ３２４）等の各種の初期設定を行うことができる。ユーザがポインティングデバイス２０９の初期設定を行うモードを選択すると（ステップＳ３２３：Ｙ）、ポインティングデバイス用初期設定画面が液晶表示部２０３に表示されることになる（ステップＳ３２５）。
【００４０】
図８は、ポインティングデバイス用初期設定画面の表示内容を表わしたものである。液晶表示部２０３には、［速度］、［移動方向］および［移動態様］の設定内容が表示される。このうち、［速度］とは、図１に示したポインティングデバイス２０９の単位移動量当たりのカーソル２５３（図５参照）の移動量としての速度を設定することである。
【００４１】
［移動方向］とは、ポインティングデバイス２０９の動きの方向の規制内容をいう。これは、ポインティングデバイス２０９の熟練者でないと、これを操作してもカーソル２５３を必ずしも所望の方向に移動することができないために設けられたものである。この［移動方向］の設定には、４つのラジオボタンが設けられており、ユーザがいずれかの内容に設定するようになっている。このうち、「９０度方向」とは、ポインティングデバイス２０９の動きを上下左右の９０度を単位とした動きに規制するものである。たとえばユーザがポインティングデバイス２０９を−４５度から＋４５度までの９０度の角度範囲内で動かしたときには、０度の方向に動かしたものとしてカーソル２５３が移動することになる。「４５度方向」とは、ポインティングデバイス２０９の動きを４５度を単位とした動きに規制するものである。たとえばユーザがポインティングデバイス２０９を−２２．５度から＋２２．５度の４５度の角度範囲内で動かしたときには、０度の方向に動かしたものとしてカーソル２５３が移動することになる。
【００４２】
「対角方向」とは、液晶表示部２０３に文字等の入力情報を選択するためのマトリックス状に表が表示されたとき、ポインティングデバイス２０９の移動に対応するカーソル２５３の移動方向を、行方向と列方向の他に、対角方向の動きに規制するものである。この「対角方向」を選択すれば、たとえば、図５に示す通話キー表が液晶表示部２０３に表示された状態で、ユーザが“５”の数字キーを押した後に“３”の数字キーを押そうとするときには、指をポインティングデバイス２０９上で斜め上にラフに動かせばよい。これにより、“７”、“５”、“３”の数字を順に結ぶ対角線方向にカーソル２５３が移動して、“３”の数字キーを簡単に選択することができる。「全方向」を選択した場合には、以上説明したような動きの規制が行われず、ポインティングデバイス２０９の移動方向にカーソル２５３の移動方向が正確に反映することになる。
【００４３】
［移動態様］について、ユーザは「連続」と「ワープ」のいずれかを選択することができる。「連続」とは、ポインティングデバイス２０９の移動量に対応するカーソル２５３の移動量が比例していることをいう。これに対して、「ワープ」とは、図５に示す通話キー表のような表が液晶表示部２０３に表示されている状態で、それぞれの入力情報を選択するための「入力情報領域」の間に「空白領域」が存在する場合に、これらの「空白領域」をスキップするように移動を行うことをいう。たとえば、ユーザが“５”の数字キーを選択した状態で、その上の“２”の数字キーを選択するためにポインティングデバイス２０９を上方向に動かしたとする。この場合、ユーザが「連続」に設定している場合には、「“５”の数字キーを選択した状態」から「何も選択していない（空白領域を選択している）状態」に移行して、その後に「“２”の数字キーを選択した状態」にカーソル２５３が移動する。これに対して、ユーザが「ワープ」に設定している場合には、「“５”の数字キーを選択した状態」から「“２”の数字キーを選択した状態」にカーソル２５３が直接移動することになる。
【００４４】
ユーザは、ポインティングデバイス２０９を使用して、液晶表示部２０３に示されたポインティングデバイス用初期設定画面のラジオボタン等の各種設定を行う。項目によっては、初期設定しているデフォルト値をそのまま使用するようにしてもよい。各種設定が終了したら、ユーザはポインティングデバイス用初期設定画面の下に配置された設定ボタン２６１をポインティングデバイス２０９で選択する（ステップＳ３２６：Ｙ）。これにより、図２に示した不揮発性メモリ領域２２７にポインティングデバイス用の設定値が登録される（ステップＳ３２７）。そして、これ以後はその設定内容に応じてポインティングデバイス２０９が制御されることになる。
【００４５】
一方、現在の設定内容（デフォルト値も含む）の変更を行わないでよい場合（ステップＳ３２６：Ｎ）、ユーザはキャンセルボタン２６２をポインティングデバイス２０９で選択する（ステップＳ３２８：Ｙ）。この場合、不揮発性メモリ領域２２７におけるポインティングデバイス用の設定値がそのまま保持される。
【００４６】
図９は、ポインティングデバイスの移動方向の制御の様子を表わしたものである。図２と共に説明を行う。ＣＰＵ２２１は、カーソル２５３（図５参照）が液晶表示部２０３に表示されている状態でポインティングデバイス２０９が所定の単位量だけ移動するのを監視している（ステップＳ３４１）。ここで単位量とは表示上で滑らかな動きとして認識される比較的短い長さである。単位量の移動が行われたら（Ｙ）、移動開始の座標と移動後の座標を比較して移動方向を演算する（ステップＳ３４２）。
【００４７】
次にＣＰＵ２２１は不揮発性メモリ領域２２７にポインティングデバイス用の設定値のうちの［移動方向］に関する値が全方向に設定されているかどうかをチェックする（ステップＳ３４３）。全方向に設定されている場合には、移動方向の規制あるいは修正が行われない。したがって、この場合には（Ｙ）、演算されたその方向に［速度］で設定された値（量）だけカーソル２５３を移動させる（ステップＳ３４４）。
【００４８】
これに対して、ステップＳ３４３で全方向に設定されていなかった場合には（Ｎ）、［移動態様］で設定された方向に修正して、［速度］で設定された値（量）だけカーソル２５３を移動させる（ステップＳ３４５）。たとえば、ポインティングデバイス２０９の移動方向が１２０度の方向であったとする。［移動方向］として９０度方向が選択されていた場合には、９０度と１８０度の間の角度である１２０度がこれらのいずれに近いかの判別が行われて９０度が選択される。そして、９０度（右方向）に［速度］で設定された値（量）だけカーソル２５３の移動が行われることになる。また、［移動方向］として４５度方向が選択されていた場合には、９０度と１３５度の間の角度である１２０度がこれらのいずれに近いかの判別が行われて１３５度が選択される。この場合には、１３５度（右下方向）に［速度］で設定された値（量）だけカーソル２５３の移動が行われることになる。
【００４９】
一方、［移動方向］として対角方向が選択されていた場合には、液晶表示部２０３に表示されているマトリックス状に配置された通話キー表の文字等の入力情報の行方向と列方向および対角方向のいずれに演算された方向が近いかの判別が行われる。そして、この演算された１２０度の角度に最も近い角度が選択されて、その角度方向に［速度］で設定された値（量）だけカーソル２５３の移動が行われることになる。以上の方向の判別で２つの方向にちょうど等しい角度にポインティングデバイス２０９が移動していた場合には、その直前に移動した方向を採用してもよいし、あらかじめ決定した方向に移動させるようにしてもよい。
【００５０】
このようにしてカーソル２５３が液晶表示部２０３に表示されている状態で、ユーザがポインティングデバイス２０９を水平方向に移動させると、単位量移動するごとに図９に示した制御が繰り返されることになる。
【００５１】
以上、ユーザが電話を掛ける場合の通話キー表に対するカーソル２５３の移動制御について説明した。ユーザはこれ以外にカーソル２５３を制御して文字や記号等の各種の入力情報の入力を同様に行うことができる。これを次に説明する。
【００５２】
図１０は、ユーザがメール等の文章を作成する際の液晶表示部とその周辺を表わしたものである。電話機本体２０１の液晶表示部２０３には、「本文入力」という処理内容を示す欄２７１の下に文章入力領域２７２が設けられている。また、液晶表示部２０３の下端部近傍には、入力情報種類選択部２７３が設けられている。ここには、漢字を選択する漢字選択ボタン２７４、カナを選択するカナ選択ボタン２７５、英数字を選択するための英数字選択ボタン２７６、各種記号を選択するための記号選択ボタン２７７および絵文字を選択するための絵文字ボタン２７８が配置されている。文章入力領域２７２と入力情報種類選択部２７３の間には、選択表表示領域２７９が配置されている。この選択表表示領域２７９には、入力情報種類選択部２７３で選択された入力情報についての選択表が表示される。これらの選択表は、図２に示した選択表格納領域２２４に格納されている。
【００５３】
図１０に示した例では、入力情報種類選択部２７３の漢字選択ボタン２７４が押されて漢字の選択表が選択されて選択表表示領域２７９に仮名漢字変換を行うための仮名がマトリックス状に表示されている。ユーザはこの表示状態で、「よ」、「こ」、「は」、「ま」と順に選択することで「横浜」という漢字に変換を行う。図１０では、「ま」という文字が選択された状態を示しており、この文字が強調表示されている。カーソルが表示されていないのは、強調表示された文字の「位置」が「カーソル」としての役割を果たしているからである。
【００５４】
本実施例では、仮名を漢字に変換する指示は、図１に示した６個のファンクションキー２０７1〜２０７6のいずれかの押下によって行うことにしているが、これに限るものではない。たとえば、液晶表示部２０３に専用の変換ボタンを表示して、これをポインティングデバイス２０９で選択するようにしてもよい。変換を行うキーまたはボタンの他に、カナの状態で文字種を確定させるための「無変換」のキーまたはボタンを設けてもよいことは当然である。
【００５５】
図１１は、図１０に示した文章入力作業の少し後の時間を示したものである。液晶表示部２０３の文章入力領域２７２には、「横浜の電話は」という文章がすでに入力されており、ユーザが英数字選択ボタン２７６に切り替えて、電話番号の入力を行っている。このように電話番号の入力は、図５に示したような通話キー表で行うこともできるし、文章の途中で電話番号を表示するような場合には、英数字を一括して表示する英数字表を使用して行うこともできる。本実施例でダイヤル操作時に図５に示す通話キー表を表示するようにしたのは、より少ない入力文字の表を示すことでダイヤル操作の簡略化を図るためである。したがって、携帯情報処理装置によってはダイヤル操作を行うときに図１１に示したような英数字の表を表示して選択を行わせるようにしてもよく、これにより選択表格納領域２２４からの読出制御やポインティングデバイス２０９によるカーソルの移動制御の簡略化を図ることもできる。
【００５６】
＜発明の変形例＞
【００５７】
図１２は、仮名漢字変換を行っている状態での液晶表示部の他の例を変形例として表わしたものである。この例では、「本文入力」の欄２７１の下の文章入力領域２７２に「よ」と「こ」という２文字が順に入力されている。この状態で、「よこ」に続く過去に学習した仮名漢字変換後の語句が「横浜」、「横方向」、「邪」（よこしま）と優先順位に沿って所定数表示されている。ユーザは、これらに該当する変換後の語句があれば、この図に示さないポインティングデバイス２０９を操作して、カーソルを文章入力領域２７２に移動させて、該当する語句の表示された領域を選択することで、仮名漢字変換を迅速に行うことができる。
【００５８】
なお、この図１２に示した例で、該当する語句が存在しない場合、ユーザは、たとえば更に選択表表示領域２７９内で「い」という文字を選択する。すると、文章入力領域２７２には「よこい」という文字の後に、「横井」、「横岩」等の新たな変換候補が表示されることになる。このように入力情報の表だけでなく、すでに入力された入力情報に関連付けた語句等を液晶表示部２０３に併せて表示し、カーソルで選択することで、実施例の場合よりも更に少ない選択動作で所望の入力処理を行うことが可能になる。
【００５９】
以上説明した実施例および変形例では、図３に示したポインティングデバイス２０９を操作することを前提として説明を行ったが、ポインティングデバイスの種類はこれに限定されるものではない。すなわち、装置本体の特定の面方向と、この面方向とは異なる方向に移動自在なデバイスで、これら２種類の方向を検出することのできるものであれば、本発明の適用範囲のポインティングデバイスであることはいうまでもない。
【００６０】
また、実施例では携帯電話機２００を例に挙げたが、すでに説明したような他のあらゆる携帯情報処理装置にも本発明を適用することができることは当然である。
【００６１】
更に実施例では装置本体が１つの筐体からなる携帯情報処理装置について説明を行ったが、ヒンジ機構を介して２の筐体を開閉自在に配置した携帯情報処理装置にも本発明を適用することができる。この場合、ディスプレイとカーソルを移動させたり入力情報の選択を行う手段は同一の筐体に配置される必要はないことは当然である。
【図面の簡単な説明】
【００６２】
【図１】本発明の一実施例における携帯情報処理装置としての携帯電話機の外観を表わした斜視図である。
【図２】本実施例の携帯電話機の回路構成の要部を表わしたブロック図である。
【図３】本実施例のポインティングデバイスの検出の様子を示した説明図である。
【図４】本実施例でユーザが電話の発信を行う場合の処理の様子を表わした流れ図である。
【図５】本実施例で液晶表示部に表示された通話キー表を表わした液晶表示部の平面図である。
【図６】本実施例で“０”の数字キーにより最初の数字が入力された状態を表わした液晶表示部の平面図である。
【図７】本実施例でポインティングデバイスの初期設定の制御の流れを表わした流れ図である。
【図８】本実施例でポインティングデバイス用初期設定画面の表示内容を表わした液晶表示部の平面図である。
【図９】本実施例でポインティングデバイスの移動方向の制御の様子を表わした流れ図である。
【図１０】本実施例で文章を作成する際の液晶表示部とその周辺を表わした平面図である。
【図１１】図１０に示した文章入力作業の少し後の時間状態を示した平面図である。
【図１２】本発明の変形例として仮名漢字変換と優先順位表示を併用した液晶表示部の表示状態の一例を示した平面図である。
【図１３】従来提案された文字入力キーと文字行の配置の一例を示した説明図である。
【符号の説明】
【００６３】
２００  携帯電話機
２０２  表側の面
２０３  液晶表示部
２０６  情報入力装置
２０７  ファンクションキー
２０９  ポインティングデバイス
２２１  ＣＰＵ
２２３  ＲＯＭ
２２４  選択表格納領域
２２７  不揮発性メモリ領域
２５３  カーソル
２７２  文章入力領域
２７３  入力情報種類選択部
２７９  選択表表示領域
【図１】
2006197159.tif 000003
【図２】
2006197159.tif 000004
【図３】
2006197159.tif 000005
【図４】
2006197159.tif 000006
【図５】
2006197159.tif 000007
【図６】
2006197159.tif 000008
【図７】
2006197159.tif 000009
【図８】
2006197159.tif 000010
【図９】
2006197159.tif 000011
【図１０】
2006197159.tif 000012
【図１１】
2006197159.tif 000013
【図１２】
2006197159.tif 000014
【図１３】
2006197159.tif 000015